【手続補正書】
【提出日】平成17年8月15日(2005.8.15)
【手続補正１】
【補正対象書類名】特許請求の範囲
【補正対象項目名】全文
【補正方法】変更
【補正の内容】
【特許請求の範囲】
【請求項１】
電気泳動セルのアレイを含む電気泳動ディスプレイにおいて、
上記電気泳動セルの各々が、
ａ）頂部電極を含む頂部層と、
ｂ）底部電極と少なくとも一つのインプレーン電極とを含む底部層と、
ｃ）誘電溶媒若しくは溶媒混合物内に分散された荷電色素粒子を含む電気泳動混合物であって、荷電色素粒子は同じ電荷極性を帯び同じ色であり、上記電気泳動セルの各々が３色システムを与えられる、電気泳動混合物を含むことを特徴とする電気泳動ディスプレイ。
【請求項２】
上記３色が、荷電色素粒子の色であるか、誘電溶媒若しくは溶媒混合物の色であるか、又は、背景の色であることを特徴とする請求項１に記載の電気泳動ディスプレイ。
【請求項３】
上記電気泳動セルがマイクロカップから準備される、請求項１に記載の電気泳動ディスプレイ。
【請求項４】
上記電気泳動セルがマイクロチャネルから準備される、請求項１に記載の電気泳動ディスプレイ。
【請求項５】
上記電気泳動セルがマイクロカプセルから準備される、請求項１に記載の電気泳動ディスプレイ。
【請求項６】
上記底部層が一つのインプレーン電極を有する、請求項１に記載の電気泳動ディスプレイ。
【請求項７】
上記底部層が層の左右の側面に夫々２つのインプレーン電極を有し、底部電極がその２つのインプレーン電極の間にある、請求項１に記載の電気泳動ディスプレイ。
【請求項８】
インプレーン電極と底部電極の間にギャップがある、請求項６に記載の電気泳動ディスプレイ。
【請求項９】
２つのインプレーン電極を底部電極から分離するギャップがある、請求項７に記載の電気泳動ディスプレイ。
【請求項１０】
上記の荷電色素粒子が白である、請求項１に記載の電気泳動ディスプレイ。
【請求項１１】
上記の荷電色素粒子が、赤、緑、青、黄色、シアン及びマゼンタからなるグループから選択された色である、請求項１に記載の電気泳動ディスプレイ。
【請求項１２】
上記誘電溶媒若しくは溶媒混合物が、赤、緑、青、黄色、シアン及びマゼンタからなるグループから選択された色である、請求項１に記載の電気泳動ディスプレイ。
【請求項１３】
上記底部層が、黒、赤、緑、青、黄色、シアン及びマゼンタからなるグループから選択された色である、請求項１に記載の電気泳動ディスプレイ。
【請求項１４】
底部電極と少なくとも一つのインプレーン電極を含む底部層の頂部上にある背景層を、更に含む請求項１に記載の電気泳動ディスプレイ。
【請求項１５】
底部電極と少なくとも一つのインプレーン電極を含む底部層の頂部の下にある背景層を、更に含む請求項１に記載の電気泳動ディスプレイ。
【請求項１６】
反射面を有する背景層を、更に含む請求項１に記載の電気泳動ディスプレイ。
【請求項１７】
上記背景の色が、黒、赤、緑、青、黄色、シアン及びマゼンタからなるグループから選択された色である、請求項２に記載の電気泳動ディスプレイ。
【請求項１８】
上記電気泳動ディスプレイがモノクロディスプレイである、請求項２に記載の電気泳動ディスプレイ。
【請求項１９】
全ての上記電気泳動セルが白荷電色素粒子を有する、請求項１８に記載の電気泳動ディスプレイ。
【請求項２０】
全ての上記電気泳動セルが、赤、緑、青、黄色、シアン及びマゼンタからなるグループから選択された同一の色の荷電色素粒子を有する、請求項１８に記載の電気泳動ディスプレイ。
【請求項２１】
全ての上記電気泳動セルが、赤、緑、青、黄色、シアン及びマゼンタからなるグループから選択された同一の色の誘電溶媒若しくは溶媒混合物を有する、請求項１８に記載の電気泳動ディスプレイ。
【請求項２２】
全ての上記電気泳動セルが黒の背景の色を有する、請求項１８に記載の電気泳動ディスプレイ。
【請求項２３】
全ての上記電気泳動セルが、赤、緑、青、黄色、シアン、マゼンタ及びそれらの混合色からなるグループから選択された同一の背景の色を有する、請求項１８に記載の電気泳動ディスプレイ。
【請求項２４】
上記電気泳動ディスプレイがマルチカラーディスプレイである、請求項２に記載の電気泳動ディスプレイ。
【請求項２５】
上記電気泳動セルが、異なる色の誘電溶媒若しくは溶媒混合物内に分散された白荷電色素粒子を含む電気泳動混合物で充填されている、請求項２４に記載の電気泳動ディスプレイ。
【請求項２６】
上記の異なる色が、赤、緑、青、黄色、シアン及びマゼンタからなるグループから選択される、請求項２５に記載の電気泳動ディスプレイ。
【請求項２７】
上記の異なる色が、赤、緑若しくは青である、請求項２６に記載の電気泳動ディスプレイ。
【請求項２８】
上記背景の色が黒である、請求項２４に記載の電気泳動ディスプレイ。
【請求項２９】
上記頂部層が色付きである、若しくはカラーフィルタを伴う、請求項１に記載の電気泳動ディスプレイ。
【請求項３０】
上記電気泳動セルが、色の無い誘電溶媒若しくは溶媒混合物内に拡散される白荷電色素粒子を含む電気泳動混合物で充填される、請求項２９に記載の電気泳動ディスプレイ。
【請求項３１】
電気泳動セルの各々が３色システムを与え得るような電気泳動セルを含む電気泳動ディスプレイの製造のプロセスにおいて、
ａ）頂部電極層を放射硬化部材で覆うステップと、
ｂ）マイクロエンボス、又は放射への画像様式照射により、放射硬化部材上に開口電気泳動セルを形成するステップと、
ｃ）誘電溶媒若しくは溶媒混合物内に分散された、同じ電荷極性を帯び同じ色である荷電色素粒子を含む電気泳動混合物で、開口電気泳動セルを充填するステップと、
ｄ）充填された電気泳動セルを密閉するステップと、
ｅ）密閉されたセルに対して、底部電極及びインプレーン電極を含む層で薄膜をはるステップを含む
電気泳動ディスプレイの製造のプロセス。
【請求項３２】
上記３色が、荷電色素粒子の色であるか、誘電溶媒若しくは溶媒混合物の色であるか、又は、背景の色であることを特徴とする請求項３１に記載の電気泳動ディスプレイの製造のプロセス。
【請求項３３】
ステップ（ｅ）が、接着層で実施される請求項３１に記載の電気泳動ディスプレイの製造のプロセス。
【請求項３４】
上記の少なくとも一つのインプレーン電極と上記頂部及び底部電極が、能動マトリクスシステムにより駆動される、請求項１に記載の電気泳動ディスプレイ。
【請求項３５】
上記能動マトリクスシステムが薄膜トランジスタ（ＴＦＴ）を含む、請求項３４に記載の電気泳動ディスプレイ。
【請求項３６】
底部電極がＴＦＴによりスイッチされ、少なくとも一つのインプレーン電極が別のＴＦＴによりスイッチされる、請求項３４に記載の電気泳動ディスプレイ。
【請求項３７】
上記ＴＦＴが走査線及び信号線のマトリクスにより制御される、請求項３６に記載の電気泳動ディスプレイ。
【請求項３８】
頂部電極が、透明導体部材である、請求項３４に記載の電気泳動ディスプレイ。
【請求項３９】
上記の少なくとも一つのインプレーン電極と上記頂部及び底部電極が、受動マトリクスシステムにより駆動される、請求項１に記載の電気泳動ディスプレイ。
【請求項４０】
電気泳動セルが、透明である上記頂部層と上記底部層の間に挟まれ、上記頂部層は複数の行電極を含み、上記底部層は複数の列電極、及び複数のインプレーン電極を含む、
請求項３９に記載の電気泳動ディスプレイ。
【請求項４１】
透明であり、電気泳動セルの頂部を介して平行に走る水平方向の電極バーを、上記行電極が含む、請求項４０に記載の電気泳動ディスプレイ。
【請求項４２】
透明であり、電気泳動セルの底部を介して平行に走る鉛直方向の電極バーを、上記列電極が含む、請求項４０に記載の電気泳動ディスプレイ。
【請求項４３】
透明であり、電気泳動セルの底部を介して平行に走る鉛直方向の電極バーを、上記インプレーン電極が含む、請求項４０に記載の電気泳動ディスプレイ。
【請求項４４】
上記インプレーン電極が列電極の間に配置され、電気泳動セルの側面に整列する、請求項４３に記載の電気泳動ディスプレイ。
【請求項４５】
上記インプレーン電極が能動マトリクスシステムにより駆動され、上記頂部及び底部電極が受動マトリクスシステムにより駆動される、請求項１に記載の電気泳動ディスプレイ。
【請求項４６】
上記能動マトリクスシステムが薄膜トランジスタ（ＴＦＴ）を含む、請求項４５に記載の電気泳動ディスプレイ。
【請求項４７】
上記インプレーン電極が受動マトリクスシステムにより駆動され、上記頂部及び底部電極が能動マトリクスシステムにより駆動される、請求項１に記載の電気泳動ディスプレイ。
【請求項４８】
上記能動マトリクスシステムが薄膜トランジスタ（ＴＦＴ）を含む、請求項４７に記載の電気泳動ディスプレイ。
【請求項４９】
上記荷電色素粒子が正荷電であることを特徴とする請求項１に記載の電気泳動ディスプレイ。
【請求項５０】
上記荷電色素粒子が負荷電であることを特徴とする請求項１に記載の電気泳動ディスプレイ。
【請求項５１】
上記モノクロディスプレイがハイライト特性を更に含むことを特徴とする請求項１８に記載の電気泳動ディスプレイ。